(57)【要約】【課題】  本考案は聴診器の集音に、マグネット及び突起付振動板を採用する事で、ウーハースピーカーのマグネットと振動体の原理を参考にした、マグネット増幅機能によって、振動板をテンションフリー状態で保ち、振動板全体を振動させて増幅作用での高感度、高音質での聴診を可能とする。【解決手段】  本考案は聴診器胸当部７の集音部Ａに、マグネット１、固定パーツ８、スプリング２を取り付け、その中心部に鉄片３が来るように、突起付高感知型振動板４を振動板固定リング９で固定する。これにより、マグネット１が鉄片３を磁力で引きつけ、スプリング２が振動板を押し下げ、このバランスによってテンションフリー状態となり、聴診時に外部より振動板に圧力が加わると、上記構造によって振動板全体が振動して増幅作用が行われる為、最高の音質と、最大の音量を得る事が可能となる。【選択図】  図１
0003114968.tif 000002
【実用新案登録請求の範囲】
【請求項１】
低音域の音を振動板を通して聴診する集音部（Ａ）と、中高音域用のベル状集音部（Ｂ）が回転子の切り替えによって、二種類の使用目的で選択が可能で、さらに、振動板を通しての聴診には、集音部のマグネット（１）が振動板の鉄片（３）を磁力で常に引きつけて、中央にあるスプリング（２）が、振動板を押し下げる為、このバランスによって、振動板は、張力が加わっていない状態になる、マグネットの増幅機能を応用した機能を持つマグネット式聴診器（図１）。
【請求項２】
（請求項１）記載の聴診器で、ベル状集音部（Ｂ）の変わりに、成型した振動板（１１）を使用して集音するタイプ（Ｃ）を持っているマグネット式聴診器（図２）。
【請求項３】
（請求項１）（請求項２）記載のマグネット式聴診器の、集音部（Ａ）を通して集音する効果を、更に感度を増大させる為、振動板に突起を取り付けた、突起付高感知型振動板（プロジェクティブセンサーダイヤフラム）（４、５）。
【請求項４】
（請求項２）記載のマグネット聴診器の、集音部（Ｃ）の成型した振動板上に突起を取り付け、目的、効能は（請求項３）と同一であるが、主に小児用、及び小動物用としての振動板（６）。
【考案の詳細な説明】
【技術分野】
【０００１】  本考案は、集音にマグネット及び突起付テフロン振動板を採用した、非常に感度が敏感で音質が大変鮮明な聴診器の胸当部である。
【背景技術】
【０００２】  従来の聴診器は、硬いファイバーの積層板又は、塩ビの薄い板などを太鼓の原理で集音部に張力を与えて、その振動を利用して聴診をしていたので音質が大変良くない欠点がある。
【考案の開示】
【考案が解決しようとする課題】
【０００３】  従来の聴診器の振動板の場合、すでにその素材に反発力（張力）がある為、その板を振動板固定リングで強く固定すると、リングの近くでは必要以上の張力が発生して、中心部のみで振動するようになる。従って、振動板全体が均一に振動しない為、感度が悪く、音質が鮮明ではない。本考案のマグネット式聴診器においては、振動板は軟材のテフロン板、集音部にマグネットを使用している為、表面の張力が均一になり振動板全体が振動する事により前述の欠点を解決しようとするものである。
【考案が解決するための手段】
【０００４】  本考案のマグネット式聴診器は、振動板に軟材のテフロン板（テフロン布樹脂加工）を使用しているが、このテフロン板だけで振動板として使用しても良い結果は得られない。その理由は、テフロン板その物には、振動板としての適当な表面張力がない（柔らか過ぎる）。一方、このテフロン板が、大変柔軟性に富んでいるという事が、外部からこのテフロン板に加わる力を敏感に捕らえる事が出来る。この板を振動板として使用する為に、集音にマグネットを使用している。マグネットの力を利用して、その集音効果を増大している為、聴診器本体の材質が磁力を及じる素材では良くない。マグネットの磁力方向も一方向の物が良い。磁力の強さと、板を持ち上げるスプリングの強さと、板の中心に付ける鉄片の形状が重要な要素になる。
【考案の効果】
【０００５】  本考案の聴診器の振動板は張力が加わっていない状態（テンションフリー）である為、全表面で高感度なクリアーサウンドを得る事が可能である。聴診時に、外部よりテフロン振動板上に圧力が加わると、振動板全体が振動して増幅作用が行われる為、音質が大変鮮明であり、音量が非常に大きい特徴がある。
【考案を実施するための最良の形態】
【０００６】  聴診器本体の材質、テフロン板、マグネットの最良な状態パーツの選択、聴診器本体の機械加工の精度が必要となる。
【実施例】
【０００７】  別紙添付図面で詳しく実施例を説明する。７ａはマグネット式聴診器の胸当部、集音部Ａにマグネット１を固定パーツ８と一緒に取り付け、その中心部にスプリング２をセットする。鉄片３がスプリング２の中心部に来るようにして突起付高感知型振動板４を、振動板固定リング９で胸当部７に固定する。７Ｃが組立完成図になる。これにより集音部Ａのマグネット１が振動板４の鉄片３を磁力で常に引きつけ、中央にあるスプリング２が、振動板を押し下げる。このバランスによって振動板は、張力が加わっていない状態（テンションフリー）となり、聴診時に外部より振動板４に圧力が加わると、上記構造によって振動板全体が振動して増幅作用が行われる為、最高の音質と最大の音量を持ったクリアーサウンドを得る事が可能である。突起付高感知型振動板４、５の使用目的は、人間から各種動物用の聴診にも応用が可能で、突起部の先端が、皮膚の内部に深く接するので、より高感度の聴診が可能である。【０００８】  集音部Ｃに、成型振動板１１を成型振動板固定リング１０で胸当部７ｂに取り付ける。これにより、成型振動板１１がテンションフリーの状態で外枠のリング１０で固定して密封されている為、高感度での聴診が可能である【０００９】  集音部Ｃの中心部にスプリング２を取り付け、突起付成型振動板６を成型振動板固定リング１０で胸当部７ｂに取り付ける。これにより、突起６ａを成型した振動板に付けると振動板上にひずみが生じ、この状態での集音部へのセットは不可能であったが、スプリング２を使用して、内側方向よりテンションを加えて、バランスを取る事によって可能になり、より高感度の聴診が可能である。このタイプは主に小児用、及び小動物用として開発したものである。
【図面の簡単な説明】
【００１０】
【図１】本考案のマグネット式聴診器及び突起付振動板を展開した断面図である。
【図２】マグネット式聴診器の成型振動板及び突起付成型振動板タイプを展開した断面図である。
【図３】マグネット式聴診器の組立完成の断面図である。
【図４】マグネット式聴診器の立面図である。
【符号の説明】
【００１１】  １  マグネット
２  スプリング
３  鉄片
４  突起付振動板
５  突起付振動板
６  突起付成型振動板
７  聴診器胸当部
８  固定パーツ
９  振動板固定リング
１０  成型振動板固定リング
１１  成型振動板
【図１】
0003114968.tif 000003
【図２】
0003114968.tif 000004
【図３】
0003114968.tif 000005
【図４】
0003114968.tif 000006
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
低音域の音を振動板を通して聴診する集音部と、中高音域用のベル状集音部が回転子の切り替えによって、二種類の使用目的で選択が可能で、さらに、振動板を通しての聴診には、集音部のマグネットが振動板の鉄片を磁力で常に引きつけて、中央にあるスプリングが、振動板を押し下げる為、このバランスによって、振動板は、張力が加わっていない状態になる、マグネットの磁力とスプリングによる反発力のバランスを応用した増幅機能を特徴とするマグネット式聴診器。
【請求項２】
請求項１記載のマグネット式聴診器において、ベル状集音部の代わりに、プラスチック円板の中央部を絞り、浮き上がらせた状態に成型した振動板を集音部に取り付けた、成型振動板付集音部を通しての聴診が可能であることを特徴とするマグネット式聴診器。
【請求項３】
請求項１又は請求項２記載のマグネット式聴診器の、集音部を通して集音する効果を、更に感度を増大させる為、振動板上に突起を取り付けたことを特徴とする、突起付高感知型振動板。
【請求項４】
請求項２記載のマグネット式聴診器において、成型振動板付集音部の成型した振動板上に突起を取り付け、そして、バランスを取る為に集音部内にスプリングを取り付け、主に小児用、及び小動物用として使用することを特徴とする振動板。